(57)【要約】【課題】ゲートを通過しようとする対象を誤認識してしまうということ。【解決手段】本発明の照合システムは、ゲートに対する通過前側領域の撮影画像である第１の撮影画像を取得する第１の撮像手段と、第１の撮影画像の第１のゲートに対する通過前側領域である第１の領域又は第２のゲートに対する通過前側領域である第２の領域における対象の位置に基づいて照合対象を決定し、当該決定した照合対象と予め登録された対象とを照合する照合手段と、を備える。【選択図】図１７
2020201999.tif 000002
【特許請求の範囲】
【請求項１】
ゲートに対する通過前側領域の撮影画像である第１の撮影画像を取得する第１の撮像手段と、
前記第１の撮影画像の第１のゲートに対する通過前側領域である第１の領域又は第２のゲートに対する通過前側領域である第２の領域における対象の位置に基づいて照合対象を決定し、当該決定した照合対象と予め登録された対象とを照合する照合手段と、
を備える照合システム。
【請求項２】
請求項１に記載の照合システムであって、
前記照合手段の照合結果に応じてゲートの開閉を制御する制御手段をさらに備え、
前記制御手段は、前記照合手段の照合結果に基づいて、前記照合対象が前記第１の領域に位置する場合は前記第１のゲートの開閉を制御し、前記照合対象が前記第２の領域に位置する場合は前記第２のゲートの開閉を制御する、
照合システム。
【請求項３】
請求項１又は２に記載の照合システムであって、
前記照合手段は、前記第１の撮影画像の前記第１の領域又は前記第２の領域に位置する対象と、前記第１の領域及び前記第２の領域の少なくとも一部を含む領域の撮影画像である第２の撮影画像内に位置する対象の有無と、に基づいて前記照合対象を決定する、
照合システム。
【請求項４】
請求項３に記載の照合システムであって、
前記照合手段は、前記第１の撮影画像の水平方向における端領域である第一領域に位置する対象と、前記第２の撮影画像の中央領域である第二領域に位置する対象と、に基づいて前記照合対象を決定する、
照合システム。
【請求項５】
ゲートに対する通過前側領域の撮影画像である第１の撮影画像を取得する第１の取得手段と、
前記第１の撮影画像の第１のゲートに対する通過前側領域である第１の領域又は第２のゲートに対する通過前側領域である第２の領域における対象の位置に基づいて照合対象を決定し、当該決定した照合対象と予め登録された対象とを照合する照合手段と、
を備える情報処理装置。
【請求項６】
情報処理装置に、
ゲートに対する通過前側領域の撮影画像である第１の撮影画像を取得する第１の取得手段と、
前記第１の撮影画像の第１のゲートに対する通過前側領域である第１の領域又は第２のゲートに対する通過前側領域である第２の領域における対象の位置に基づいて照合対象を決定し、当該決定した照合対象と予め登録された対象とを照合する照合手段と、
を実現させるためのプログラム。
【請求項７】
ゲートに対する通過前側領域の撮影画像である第１の撮影画像を取得し、
前記第１の撮影画像の第１のゲートに対する通過前側領域である第１の領域又は第２のゲートに対する通過前側領域である第２の領域における対象の位置に基づいて照合対象を決定し、当該決定した照合対象と予め登録された対象とを照合する、
照合方法。
【請求項８】
請求項７に記載の照合方法であって、
前記照合対象と予め登録された対象との照合結果に基づいて、前記照合対象が前記第１の領域に位置する場合は前記第１のゲートの開閉を制御し、前記照合対象が前記第２の領域に位置する場合は前記第２のゲートの開閉を制御する、
照合システム。
【請求項９】
請求項７又は８に記載の照合方法であって、
前記第１の撮影画像の前記第１の領域又は前記第２の領域に位置する対象と、前記第１の領域及び前記第２の領域の少なくとも一部を含む領域の撮影画像である第２の撮影画像内に位置する対象の有無と、に基づいて前記照合対象を決定する、
照合方法。
【請求項１０】
請求項９に記載の照合方法であって、
前記第１の撮影画像の水平方向における端領域である第一領域に位置する対象と、前記第２の撮影画像の中央領域である第二領域に位置する対象と、に基づいて前記照合対象を決定する、
照合方法。
【発明の詳細な説明】
【技術分野】
【０００１】
本発明は、照合システムにかかり、特に、ゲートを通過しようとする対象を照合する照合システムに関する。
【背景技術】
【０００２】
オフィスやイベント会場などの特定場所に入退場する人物を制限したり管理する手段として、通過しようとする人物が予め登録された人物か否かを照合する照合システムが用いられる。特に、近年では、人物の顔認証技術の発達により、ゲートに設置したカメラで撮影した人物の顔画像から顔認証を行うウォークスルー顔認証システムが利用されている。
【先行技術文献】
【特許文献】
【０００３】
【特許文献１】特開２０１５−１７９０号公報
【発明の概要】
【発明が解決しようとする課題】
【０００４】
ここで、ウォークスルー顔認証システムにおいては、複数のゲートが隣接し、各ゲートにそれぞれ向かう人物が通行するレーンが隣接している場合がある。この場合、あるゲートのレーンを通行する人物を撮影した画像に、隣接するレーンで隣接するゲートに向かう人物も映ってしまう場合がある。すると、隣接するレーンを通行する人物を、自レーンを通行する人物と誤認識してしまい、自レーンの先にある自ゲートを通行する人物の照合の妨げとなる場合がある。このため、複数のゲートが設置された状況においては、各ゲートに向かう人物の誤認識を抑制することが求められる。
【０００５】
また、ウォークスルー顔認証システムに関連する技術として、特許文献１に記載の技術がある。特許文献１では、人物がゲートから遠くにいる時点で認証が済んでしまい、かかる人物がゲートに到達する前にゲートが開放されてしまう、という問題を掲げている。そして、かかる問題を解決するために、特許文献１では、撮影した人物の顔画像と登録顔画像との照合を行い、照合した人物の入力画像上の大きさに基づいて、かかる人物のゲートへの接近を検出している。さらに、特許文献１では、撮影画像の領域毎に、それぞれ顔領域の大きさの判定基準値を異ならせて設定することで、隣接ゲートに向かう人物の誤認識を防止しようとしている。
【０００６】
しかしながら、特許文献１に記載の技術では、人物が通過しようとしているゲートに対応して設置されたカメラによる撮影画像のみを用い、かつ、撮影画像の領域毎に設定された人物の大きさの判定基準値を用いて、自ゲートへの人物の接近を検出している。このため、撮影画像に映る人物の領域が適切でなかったり、判定基準値が適切でない場合には、依然として他のゲートに向かう人物を誤認識してしまう、という問題が生じる。
【０００７】
また、上述した各ゲートにそれぞれ向かう人物の誤認識という問題は、ゲートを通過する対象が人物である場合に限らず、いかなる対象の照合を行う場合にも生じうる。
【０００８】
このため、本発明の目的は、上述した課題である、ゲートを通過しようとする対象を誤認識してしまうという問題を解決することができる照合システムを提供することにある。
【課題を解決するための手段】
【０００９】
本発明の一形態である照合システムは、
並列に設置された各ゲートに対する各通過前側領域の撮影画像をそれぞれ取得する撮像手段と、
前記ゲート毎に、前記各通過前側領域の前記撮影画像のそれぞれに対して、予め登録された対象と、前記撮影画像に含まれる対象と、の照合処理を行う照合手段と、
を備え、
前記照合手段は、所定の前記ゲートに対応する前記撮影画像内の対象と、他の前記ゲートに対応する前記撮影画像内の対象と、に基づいて、前記照合処理を行う、
という構成をとる。
【００１０】
また、本発明の一形態である情報処理装置は、
並列に設置された各ゲートに対する各通過前側領域の撮影画像のそれぞれに対して、予め登録された対象と、前記撮影画像に含まれる対象と、の照合処理を行う照合手段を備え、
前記照合手段は、所定の前記ゲートに対応する前記撮影画像内の対象と、他の前記ゲートに対応する前記撮影画像内の対象と、に基づいて、前記照合処理を行う、
という構成をとる。
【００１１】
また、本発明の一形態であるプログラムは、
情報処理装置に、
並列に設置された各ゲートに対する各通過前側領域の撮影画像のそれぞれに対して、予め登録された対象と、前記撮影画像に含まれる対象と、の照合処理を行う照合手段を実現させるためのプログラムであり、
前記照合手段は、所定の前記ゲートに対応する前記撮影画像内の対象と、他の前記ゲートに対応する前記撮影画像内の対象と、に基づいて、前記照合処理を行う、
という構成をとる。
【００１２】
また、本発明の一形態である照合方法は、
並列に設置された各ゲートに対する各通過前側領域の撮影画像のそれぞれに対して、予め登録された対象と、前記撮影画像に含まれる対象と、の照合処理を行う方法であり、
所定の前記ゲートに対応する前記撮影画像内の対象と、他の前記ゲートに対応する前記撮影画像内の対象と、に基づいて、前記照合処理を行う、
という構成をとる。
【発明の効果】
【００１３】
本発明は、以上のように構成されることにより、ゲートを通過しようとする対象の誤認識を抑制することができる。
【図面の簡単な説明】
【００１４】
【図１】本発明の実施形態１における顔認証システムの使用状況を示す図である。
【図２】本発明の実施形態１における顔認証システムの構成を示すブロック図である。
【図３】図１に開示した顔認証システムによる撮像状況を示す図である。
【図４】図１に開示した顔認証システムにて図３の撮像状況で撮影した撮影画像を示す図である。
【図５】図１に開示した顔認証システムによる撮像状況を示す図である。
【図６】図１に開示した顔認証システムにて図５の撮像状況で撮影した撮影画像を示す図である。
【図７】図１に開示した顔認証システムによる処理動作を示すフローチャートである。
【図８】本発明の実施形態２における顔認証システムによる撮像状況を示す図である。
【図９】本発明の実施形態２における顔認証システムにて図８の撮像状況で撮影した撮影画像を示す図である。
【図１０】本発明の実施形態２における顔認証システムによる撮像状況を示す図である。
【図１１】本発明の実施形態２における顔認証システムにて図１０の撮像状況で撮影した撮影画像を示す図である。
【図１２】本発明の実施形態２における顔認証システムによる処理動作を示すフローチャートである。
【図１３】本発明の実施形態４における顔認証システムの構成を示すブロック図である。
【図１４】本発明の実施形態４における顔認証システムによる撮像状況を示す図である。
【図１５】本発明の実施形態４における顔認証システムにて図１２の撮像状況で撮影した撮影画像を示す図である。
【図１６】本発明の実施形態４における顔認証システムによる画像処理の様子を示す図である。
【図１７】本発明の実施形態５における照合システムの構成を示すブロック図である。
【図１８】本発明の実施形態５における情報処理装置の構成を示すブロック図である。
【発明を実施するための形態】
【００１５】
＜実施形態１＞
本発明の第１の実施形態を、図１乃至図７を参照して説明する。図１は、顔認証システムの使用状況を示す図である。図２は、顔認証システムの構成を示す図である。図３乃至図７は、顔認証システムの処理動作を説明するための図である。
【００１６】
［全体構成］
本発明における顔認証システム１０（照合システム）は、オフィスやイベント会場などの特定場所において、人物（対象）の入退場を制限したり管理するために用いられるシステムである。例えば、顔認証システム１０を構成する撮像装置は、人物の入退場の際に開閉されるゲート毎に、当該ゲートの配置箇所付近にそれぞれ設置されるものである。
【００１７】
図１に示す例では、３つのゲートＧ１，Ｇ２，Ｇ３が並列に隣接して配置されており、図１の右側から各ゲートＧ１，Ｇ２，Ｇ３に向かって、矢印に示す方向に人物が通行するよう構成されている。このため、各ゲートＧ１，Ｇ２，Ｇ３に対する図１の右側領域は、人物がゲートを通過する前側の領域（通過前側領域）となっている。そして、各ゲートＧ１，Ｇ２，Ｇ３の通過前側領域には、当該各ゲートＧ１，Ｇ２，Ｇ３を通過しようとする人物が並んで通行する各レーンＲ１，Ｒ２，Ｒ３が、各ゲートＧ１，Ｇ２，Ｇ３にそれぞれ対応して並列に位置している。なお、各レーンＲ１，Ｒ２，Ｒ３は、何らかの部材で仕切られていてもよく、仕切られていなくてもよい。
【００１８】
図１に示す状況において、本実施形態における顔認証システム１０を構成する撮像装置Ｃ１，Ｃ２，Ｃ３は、対応する各ゲートＧ１，Ｇ２，Ｇ３付近であり、各ゲートＧ１，Ｇ２，Ｇ３に向かう人物から見て右側に設置されている。但し、撮像装置の設置位置は、図１に示す位置に限定されず、ゲートに向かって左側やゲートの上方など、いかなる位置に設置されていてもよい。なお、顔認証システム１０は、各撮像装置Ｃ１，Ｃ２，Ｃ３の近辺に、表示装置も備えている。
【００１９】
顔認証システム１０は、例えば、ゲートＧ１においては、装備している撮像装置Ｃ１にてゲートＧ１に向かう人物の画像を撮影する。そして、撮影画像に映る人物の顔画像から、かかる人物が予め登録された人物であるか否かを照合し、照合が成功すると、人物が通過可能なようゲートＧ１を開く、という処理を行う。なお、他のゲートＧ２，Ｇ３にもそれぞれ対応して顔認証システム及び当該システムを構成する撮像装置Ｃ２，Ｃ３が設置されており、各ゲートＧ２，Ｇ３に向かう人物の照合を行う。以下、顔認証システム１０の構成について詳述する。なお、以下では、主にゲートＧ１に対応して設置された顔認証システム１０について説明するが、他のゲートＧ２，Ｇ３に対応して設置された顔認証システムも同様の構成である。
【００２０】
［顔認証システムの構成］
本実施形態における顔認証システム１０は、撮像装置Ｃ１（カメラ）及び表示装置Ｄ１（ディスプレイ）と一体的に構成された演算装置及び記憶装置を有する情報処理装置である。逆に言うと、撮像装置Ｃ１に、顔認証処理を行う演算装置及び記憶装置を有する情報処理装置と表示装置Ｄ１が搭載されている。但し、顔認証システム１０は、必ずしも撮像装置Ｃ１や表示装置Ｄ１と一体的に構成されていることに限定されない。例えば、撮像装置Ｃ１と表示装置Ｄ１と撮影画像を処理する情報処理装置とが別々の装置にて構成されており、別々の場所に設置されていてもよい。
【００２１】
具体的に、顔認証システム１０は、図２に示すように、撮像装置Ｃ１及び表示装置Ｄ１と、通信部１６と、を備えると共に、演算装置がプログラムを実行することで構築された対象抽出部１１と、対象判定部１２と、照合部１３と、ゲート制御部１４と、を備えている。また、顔認証システム１０は、記憶装置に構築された照合データ記憶部１７と、を備えている。
【００２２】
上記撮像装置Ｃ１（撮像手段）は、ゲートＧ１に対する通過前側領域、つまり、対応するレーンＲ１のゲートＧ１前領域の撮影画像を、所定のフレームレートで取得するカメラ及びカメラ制御部を備えたものである。そして、撮像装置Ｃ１は、例えば図３に示すように、符号Ｃ１ａ線で挟まれた範囲が撮影領域となっている。このとき、撮影領域のうち符号Ｃ１ｂ線で挟まれた水平方向における中央領域に、撮像装置Ｃ１が設置されたゲートＧ１に対応するレーンＲ１（自レーン）を通行する人物Ｐ１０が位置するよう、撮像装置Ｃ１の撮影領域が設定されている。なお、撮影画像は、撮像装置Ｃ１に対する遠近方向の予め設定された距離の範囲、例えば、図３に示す符号Ｌ１線から符号Ｌ２線の間の距離で、概ね焦点が合うよう設定されている。
【００２３】
上述したように撮像装置Ｃ１の撮影領域が設定されていることにより、撮影領域のうち、符号Ｃ１ａ線と符号Ｃ１ｂ線とに挟まれた領域である上記中央領域に対して水平方向における端領域には、図３に示す状況では、隣接するゲートＧ２に対応するレーンＲ２を通行する人物Ｐ２０が映る場合が生じる。また、端領域には、図５に示す状況では、撮像装置Ｃ１が設置された自ゲートＧ１に対応する自レーンＲ１に位置する人物Ｐ１２が映る場合もある。本発明の顔認証システム１０は、このような状況が生じた場合であっても、以下に説明するように、隣接ゲートＧ２を通過しようとしている人物Ｐ２０を照合処理対象から除外し、自ゲートＧ１を通過しようとする人物Ｐ１２を適切に認識してゲート通過の可否を判定可能とするよう構成されている。
【００２４】
上記対象抽出部１１は、撮像装置Ｃ１から撮影画像を取得し、撮影画像内から処理対象となる人物を抽出する。人物の抽出は、例えば、動く物体を抽出したり、物体の全体形状や全体像に対する特徴的な形状部位の位置や色の位置などから判定して行う。このとき、対象抽出部１１は、抽出した人物が位置する撮影画像内における領域も特定する。特に本実施形態では、抽出した人物が、上述した撮影画像の水平方向における中央領域か左右の端領域に位置しているかを特定する。例えば、図３の状況では、ゲートＧ１に対応する撮像装置Ｃ１による撮影画像では、図４（ａ）に示すように中央領域に位置する人物Ｐ１０が抽出され、右端領域に位置する人物Ｐ２０が抽出される。
【００２５】
上記対象判定部１２（照合手段）は、対象抽出部１１で抽出した人物Ｐ１０，Ｐ２０が自ゲートＧ１に向かっている人物であるか否かを判定する。このとき、対象判定部１２は、端領域（第一領域）に人物Ｐ２０が位置している場合には、他のゲートＧ２に対応する顔認証システム２０の撮像装置Ｃ２にて撮影された撮影画像に基づいて、かかる人物Ｐ２０が自ゲートＧ１に向かっているか否かを判定する。この例では、図４（ａ）に示す自ゲートＧ１に対応する撮影画像の右側の端領域に人物Ｐ２０が映っているため、ゲートＧ１の右側に隣接するゲートＧ２の撮像装置Ｃ２にて撮影された撮影画像を取得する。具体的には、対象判定部１２は、通信部１６を介して、隣接ゲートＧ２の顔認証システム２０と通信して、ゲートＧ１で撮影画像が撮影された同一のタイミング（例えば、同一時刻）でゲートＧ２で撮影された撮影画像を取得する。なお、各ゲートＧ１，Ｇ２，Ｇ３にそれぞれ対応する顔認証システム（撮像装置Ｃ１，Ｃ２，Ｃ３）の位置関係は、予め各システムに登録されていることとする。
【００２６】
そして、対象判定部１２は、自ゲートＧ１の撮影画像の端領域に位置している人物Ｐ２０が、隣接ゲートＧ２の撮影画像の中央領域（第二領域）に映っているか否かを調べる。本実施形態では、隣接ゲートＧ２の撮影画像の中央領域にいずれかの人物が映っている場合には、かかる人物が自ゲートＧ１の撮影画像の端領域に位置している人物Ｐ２０であると判定する。この場合、自ゲートＧ１の顔認証システム１０では、撮影画像の端領域に位置する人物Ｐ２０を照合対象から除外すると判定する。なお、自ゲートＧ１の撮影画像の端領域（第一領域）と隣接ゲートＧ２の撮影画像の中央領域（第二領域）とは、撮影画像上においては相互に異なる領域であるが、実空間においては相互に重複する空間である。
【００２７】
例えば、図３の状況では、図４（ａ）に示す自ゲートＧ１の撮影画像の端領域に位置する人物Ｐ２０は、図４（ｂ）に示す隣接ゲートＧ２の撮影画像の中央領域に位置するため、かかる人物Ｐ２０は自ゲートＧ１の顔認証システム１０による照合対象から除外する。つまり、自ゲートＧ１の顔認証システム１０は、撮影画像の中央領域に位置する人物Ｐ１０のみを照合対象とする。また、図５の状況では、図６（ａ）に示す自ゲートＧ１の撮影画像の端領域に位置する人物Ｐ１２は、図６（ｂ）に示す隣接ゲートＧ２の撮影画像の中央領域には位置していない。このため、かかる人物Ｐ１２は自ゲートＧ１の顔認証システム１０による照合対象とする。つまり、自ゲートＧ１の顔認証システム１０は、撮影画像の中央領域に位置する人物Ｐ１０と、端領域に位置する人物Ｐ１２を照合対象とする。
【００２８】
なお、上記対象判定部１２は、上述とは異なる方法で、人物が自ゲートにおける照合対象であるか否かを判定してもよい。一例として、対象判定部１２は、撮影画像の端領域（第一領域）に人物が位置している場合には、他のゲートＧ２に対応する顔認証システム２０に対して、かかる人物が自ゲートＧ１の人物か否かを問い合わせてもよい。具体的に、図３及び図４の例では、図４（ａ）に示す自ゲートＧ１に対応する撮影画像の右側の端領域に人物Ｐ２０が映っているため、ゲートＧ１の右側に隣接するゲートＧ２の顔認証システム２０に対して、かかる人物Ｐ２０が当該隣接するゲートＧ２の中央領域に映っているか否かを問い合わせる。同様に、図５及び図６の例では、図６（ａ）に示す自ゲートＧ１に対応する撮影画像の右側の端領域に人物Ｐ１２が映っているため、ゲートＧ１の右側に隣接するゲートＧ２の顔認証システム２０に対して、かかる人物Ｐ１２が当該隣接するゲートＧ２の中央領域に映っているか否かを問い合わせる。このとき、対象判定部１２は、通信部１６を介して、隣接ゲートＧ２の顔認証システム２０と通信して、ゲートＧ１で撮影画像が撮影された同一のタイミング（例えば、同一時刻）でゲートＧ２で撮影された撮影画像の中央領域に、人物が映っているか否かを問い合わせる。
【００２９】
そして、上記問合せを受けた隣接するゲートＧ２の顔認証システム２０は、自身の撮影画像から中央領域（第二領域）にいずれかの人物が映っているか否かを調べ、その結果を問合せを受けたゲートＧ１の顔認証システム１０の対象判定部１２に通知する。具体的に、隣接するゲートＧ２の顔認証システム２０は、上述した対象抽出部１１と同等の機能を有し、撮像装置Ｃ２から撮影画像を取得し、撮影画像内から処理対象となる人物を抽出し、抽出した人物が位置する撮影画像内における領域も特定する。そして、隣接するゲートＧ２の顔認証システム２０は、中央領域に人物が映っているか否かを、問い合わせに対する応答結果として、ゲートＧ１の顔認証システム１０に通知する。
【００３０】
隣接するゲートＧ２０の顔認証システムから、問い合わせに対する応答結果の通知を受けたゲートＧ１の顔認証システム１０の対象判定部１２は、応答結果に応じて以下のように判定する。対象判定部１２は、隣接するゲートＧ２の撮影画像の中央領域にいずれかの人物が映っている通知を受けた場合には（図３及び図４の例）、その人物が自ゲートＧ１の撮影画像の端領域に位置している人物Ｐ２０であると判定する。この場合、自ゲートＧ１の顔認証システム１０では、撮影画像の端領域に位置する人物Ｐ２０を照合対象から除外すると判定する。一方、対象判定部１２は、隣接するゲートＧ２の撮影画像の中央領域にいずれの人物も映っていないという通知を受けた場合には（図５及び図６の例）、自ゲートＧ１の撮影画像の端領域に位置する人物Ｐ１２を照合対象とすると判定する。
【００３１】
以上のような方法で、人物が照合対象であるか否かを判定することで、各顔認証システム１０，２０でそれぞれ人物の抽出処理が行われるため、一方の顔認証システムに処理が集中することがなく、また、画像の転送がない。従って、１つの顔認証システム１０の処理負荷を抑制でき、かつ、顔認証システム１０，２０間の通信量を抑制することができ、迅速な判定を行うことができる。
【００３２】
上記照合部１３（照合手段）は、対象判定部１２により、自ゲートＧ１の撮影画像内で照合対象として判定された人物に対する照合処理を行う。換言すると、照合部１３は、自ゲートＧ１の撮影画像内に映っていた人物であっても、対象判定部１２で照合対象から除外された人物については照合処理を行わない。ここで、照合処理は、例えば以下のようにして行う。まず、照合処理の対象となる人物の顔領域を特定し、当該顔領域から照合に必要な特徴量を生成する。そして、生成した特徴量と、予め照合データ記憶部１７に登録された人物の特徴量と、の類似度といった照合スコアを算出し、照合スコアがしきい値よりも高いか否か判定する。照合スコアがしきい値より高い場合には、照合成功とし、ゲートＧ１を通過しようとしている人物が、予め登録されている人物であると判断する。このとき、照合するために検出する人物の特徴量は、既存の顔照合技術で用いられる特徴量であってもよく、いかなる方法によって算出される特徴量であってもよい。また、照合方法はいかなる方法であってもよい。
【００３３】
上記ゲート制御部１４は、まず、照合部１３による照合結果に基づいて、ゲートＧ１に対する人物の通過可否を判定する。具体的には、照合部１３による照合が成功した人物に対しては通過可能と判定する。また、ゲート制御部１４は、照合結果つまり照合の成否を表示装置Ｄ１に表示する機能を有する。さらに、ゲート制御部１４は、ゲートＧ１の開閉を行うゲート制御機能も有しており、通過可能と判断した人物に対しては、ゲートＧ１を開くよう制御する。
【００３４】
なお、上記表示装置Ｄ１は、ゲートＧ１を通過しようとする人物が視認可能なよう、当該ゲートＧ１の通過前側領域に表示面を向けて配置されている。但し、表示装置Ｄ１は、必ずしも装備されていなくてもよい。
【００３５】
［動作］
次に、上述した顔認証システム１０の動作を、図７のフローチャートを参照して説明する。ここでは、ゲートＧ１に対応する顔認証システム１０の動作について説明し、撮像装置Ｃ１による撮影状況が図３乃至図６に示す状況である場合を一例に説明する。
【００３６】
ゲートＧ１に対応する撮像装置Ｃ１は、ゲートＧ１の通過前側領域の画像を撮影し続ける。そして、顔認証システム１０は、撮影した撮影画像に対して、常に以下の処理を行う。
【００３７】
まず、対象抽出部１１が、撮影画像内から処理対象となる人物（対象）を抽出する（ステップＳ１）。そして、対象判定部１２が、撮影画像の端領域に人物Ｐ２０が位置している場合には、隣接ゲートＧ２に対応する顔認証システム２０の撮像装置Ｃ２にて撮影された撮影画像を取得する（ステップＳ２）。このとき、隣接ゲートＧ２の撮影画像は、自ゲートＧ１の撮影画像の撮影と同一のタイミングで撮影されたものを取得する。
【００３８】
続いて、対象判定部１２は、自ゲートＧ１の撮影画像の端領域に位置している人物Ｐ２０が、隣接ゲートＧ２の撮影画像の中央領域に映っているか否かを調べる（ステップＳ３）。そして、対象判定部１２は、隣接ゲートＧ２の撮影画像の中央領域にいずれかの人物が映っている場合には、かかる人物が自ゲートＧ１の撮影画像の端領域に位置している人物Ｐ２０であると判定する。この場合、自ゲートＧ１の顔認証システム１０では、端領域に位置する人物Ｐ２０を照合対象から除外すると判定する。
【００３９】
例えば、図３の状況では、図４（ａ）に示す自ゲートＧ１の撮影画像の端領域に位置する人物Ｐ２０は、図４（ｂ）に示す隣接ゲートＧ２の撮影画像の中央領域に位置するため、かかる人物Ｐ２０は自ゲートＧ１の顔認証システム１０による照合対象から除外する（ステップＳ３でＹｅｓ）。また、図５の状況では、図６（ａ）に示す自ゲートＧ１の撮影画像の端領域に位置する人物Ｐ１２は、図６（ｂ）に示す隣接ゲートＧ２の撮影画像の中央領域には位置していない。このため、かかる人物Ｐ１２は自ゲートＧ１の顔認証システム１０による照合対象から除外せず、照合対象とする（ステップＳ３でＮｏ）。
【００４０】
続いて、照合部１３が、対象判定部１２により、自ゲートＧ１の撮影画像内で照合対象として判定された人物に対する照合処理を行う（ステップＳ４）。図３及び図４の例では、人物Ｐ１０のみの照合処理を開始し、図５及び図６の例では、人物Ｐ１０と人物Ｐ１２の照合処理を開始する。照合処理は、まず、照合処理の対象となる人物の顔領域から照合に必要な特徴量を検出し、予め照合データ記憶部１７に登録された人物の特徴量と照合を行い、照合スコアを取得する。そして、照合スコアがしきい値以上であるか否かを判定する。
【００４１】
照合部による照合処理の結果、通行しようとしている人物の照合に成功すると（ステップＳ５でＹｅｓ）、ゲート制御部１４がゲートＧ１に対する人物の通過を許可し、ゲートＧ１を開くよう制御する（ステップＳ６）。
【００４２】
以上のように、本実施形態の顔認証システム１０によると、隣接ゲートＧ２を通過しようとしている人物Ｐ２０に対する照合処理を抑制でき、自ゲートＧ１を通過しようとする人物Ｐ１０，Ｐ１２を適切に照合処理することができる。例えば、図３及び図４の例では、自ゲートＧ１を通過しようとしている人物Ｐ１０を照合処理するが、隣接ゲートＧ２を通過しようとしている人物Ｐ２０の照合処理は行われない。また、図５及び図６の例では、撮影画像の端領域に映っている人物Ｐ１２であっても、自ゲートＧ１を通過しようとしているため、適切に照合処理が行われることとなる。その結果、他のゲートを通過しようとする人物の誤認識を抑制することができる。
【００４３】
なお、上記では、自ゲートＧ１の撮影画像に対して隣接ゲートＧ２の撮影画像を比較しているが、隣接ゲートＧ２の撮影画像に限らず、他のゲート（例えばゲートＧ３）の撮影画像を比較してもよい。また、上記では、自ゲートＧ１の撮影画像の端領域と、隣接ゲートＧ２の中央領域と、を比較しているが、比較する領域は上述した領域同士であることに限定されない。異なるゲートにおける撮影画像同士のいかなる領域間を比較してもよい。
【００４４】
また、上記では、自ゲートＧ１に対応する顔認証システム１０が、隣接ゲートＧ２の撮影画像を取得して、人物が照合対象であるか否かを判定しているが、かかる判定処理は、隣接ゲートＧ２の顔認証システムが行ってもよい。つまり、自ゲートＧ１の顔認証システム１０が撮影画像を隣接ゲートＧ２の顔認証システム２０に提供し、当該隣接ゲートＧ２の顔認証システム２０が判定結果を自ゲートＧ１の顔認証システム１０に返してもよい。さらには、かかる判定処理を他の情報処理装置が行ってもよい。
【００４５】
また、顔認証システム１０は、上述したように、隣接ゲートＧ２の顔認証システム２０に対して、当該隣接ゲートＧ２における撮影画像の中央領域に人物が映っているか否かを問い合わせ、その応答結果に応じて、人物が照合対象であるか否かを判定してもよい。この場合、隣接するゲートＧ２の撮影画像の中央領域にいずれかの人物が映っている通知を受けた場合には、自ゲートＧ１の撮影画像の端領域に位置している人物を照合対象から除外すると判定する。一方、隣接するゲートＧ２の撮影画像の中央領域にいずれの人物も映っていないという通知を受けた場合には、自ゲートＧ１の撮影画像の端領域に位置する人物を照合対象とすると判定する。
【００４６】
また、上記では、ゲートＧ１を通過しようとしている対象が人物である場合を例示したが、人物に限らずいかなる物体であってもよい。例えば、荷物といった物体であってもよい。
【００４７】
＜実施形態２＞
次に、本発明の第２の実施形態を、図８乃至図１２を参照して説明する。図８乃至図１２は、顔認証システムの処理動作を説明するための図である。特に、図１２は、顔認証システムの動作を示すフローチャートである。
【００４８】
本実施形態における顔認証システム１０は、上述した実施形態１におけるものと同様の構成であるが、自ゲートＧ１の撮影画像に映る人物を照合対象とするか否かの判定処理が異なる。以下、主に実施形態１とは異なる構成について詳述する。
【００４９】
本実施形態における上記対象判定部１２は、対象抽出部１１で自ゲートＧ１の撮影画像の端領域から人物Ｐ２０を抽出すると（ステップＳ１１）、かかる人物Ｐ２０と同一人物が、他のゲートＧ２の撮影画像の中央領域に位置するか否かを判定する。図８及び図１０の例では、対象判定部１２は、自ゲートＧ１に対応する撮影画像の右側の端領域に人物Ｐ２０が映っているため、ゲートＧ１の右側に隣接するゲートＧ２の撮像装置Ｃ２にて撮影された撮影画像を取得する（ステップＳ１２）。具体的には、対象判定部１２は、通信部１６を介して、隣接ゲートＧ２の顔認証システム２０と通信して、ゲートＧ１で撮影画像が撮影された同一のタイミング（例えば、同一時刻）でゲートＧ２で撮影された撮影画像を取得する。なお、各ゲートＧ１，Ｇ２，Ｇ３にそれぞれ対応する顔認証システム（撮像装置Ｃ１，Ｃ２，Ｃ３）の位置関係は、予め各システムに登録されていることとする。
【００５０】
そして、対象判定部１２は、自ゲートＧ１の撮影画像の端領域に位置している人物Ｐ２０と、隣接ゲートＧ２の撮影画像の中央領域（第二領域）に位置している人物Ｐ２０と、の同一性を判別する。本実施形態では、まず、それぞれの人物の顔領域を特定し、当該顔領域から照合に必要な特徴量を検出する（ステップＳ１３）。そして、両人物の特徴量から、両人物が同一人物であるか否かを判定する（ステップＳ１４）。なお、人物が一致するか否かを判定する処理は、後述する照合処理と比較して精度の低い処理であってもよい。例えば、人物の一部の部位の特徴量のみを検出したり、かかる特徴量から性別や年代を検出し、これらの情報から同一性を判別してもよい。但し、人物の同一性を判別する処理は、いかなる処理であってもよい。
【００５１】
そして、対象判定部１２は、自ゲートＧ１の撮影画像の端領域に位置している人物Ｐ２０と同一人物が、隣接ゲートＧ２の撮影画像の中央領域に位置していると判定した場合には、かかる人物Ｐ２０は隣接ゲートＧ２に向かう人物であると判定する（ステップＳ１５でＹｅｓ）。この場合、自ゲートＧ１の顔認証システム１０では、端領域に位置する人物Ｐ２０を照合対象から除外すると判定する。一方で、対象判定部１２は、自ゲートＧ１の撮影画像の端領域に位置している人物Ｐ１２と同一人物が、隣接ゲートＧ２の撮影画像の中央領域に位置していないと判定した場合には、かかる人物Ｐ１２は自ゲートＧ１に向かう人物であると判定する（ステップＳ１５でＮｏ）。この場合、自ゲートＧ１の顔認証システム１０では、端領域に位置する人物Ｐ１２を照合対象であると判定する。なお、自ゲートＧ１の撮影画像の端領域（第一領域）と隣接ゲートＧ２の撮影画像の中央領域（第二領域）とは、撮影画像同士を比較すると相互に異なる領域であるが、実空間においては相互に重複する領域である。
【００５２】
例えば、図８の状況では、図９（ａ）に示す自ゲートＧ１の撮影画像の端領域に位置する人物Ｐ２０と同一人物が、図９（ｂ）に示す隣接ゲートＧ２の撮影画像の中央領域に位置するため、かかる人物Ｐ２０は自ゲートＧ１の顔認証システム１０による照合対象から除外される。つまり、自ゲートＧ１の顔認証システム１０は、撮影画像の中央領域に位置する人物Ｐ１０のみを照合対象とする。また、図１０の状況では、図１１（ａ）に示す自ゲートＧ１の撮影画像の端領域に位置する人物Ｐ１２と同一人物が、図１１（ｂ）に示す隣接ゲートＧ２の撮影画像の中央領域には位置していない。このため、かかる人物Ｐ１２は自ゲートＧ１の顔認証システム１０による照合対象とされる。つまり、自ゲートＧ１の顔認証システム１０は、撮影画像の中央領域に位置する人物Ｐ１０と、端領域に位置する人物Ｐ１２と、を照合対象とする。
【００５３】
上記照合部１３（照合手段）は、対象判定部１２により、自ゲートＧ１の撮影画像内で照合対象として判定された人物に対する照合処理を行う（ステップＳ１６）。換言すると、照合部１３は、自ゲートＧ１の撮影画像内に映っていた人物であっても、対象判定部１２で照合対象から除外された人物については照合処理を行わない。ここで、照合処理は、例えば以下のようにして行う。まず、照合処理の対象となる人物の顔領域を特定し、当該顔領域から照合に必要な特徴量を生成する。そして、生成した特徴量と、予め照合データ記憶部１７に登録された人物の特徴量と、の類似度といった照合スコアを算出し、照合スコアがしきい値よりも高いか否か判定する。照合スコアがしきい値より高い場合には、照合成功とし、ゲートＧ１を通過しようとしている人物が、予め登録されている人物であると判定する。なお、照合方法はいかなる方法であってもよい。
【００５４】
上記ゲート制御部１４は、照合部１３による照合結果に基づいて、ゲートＧ１に対する人物の通過可否を判定する。具体的には、照合部１３による照合が成功した人物に対しては通過可能と判定し（ステップＳ１７）、ゲートＧ１を開くよう制御する（ステップＳ１８）。
【００５５】
以上のように、本実施形態における顔認証システムでは、各ゲートに対応する撮影画像内の人物の特徴量を抽出して比較することで、各ゲートの撮影画像に同一の対象が重複して映っているか否かをより確実に判別することができる。そして、所定のゲートと他のゲートとで重複して映っている対象を照合処理から除外することができ、ゲートを通過しようとする対象の誤認識を抑制することができる。さらに、対象の重複を判断するために抽出した対象の特徴量を照合処理に利用することができ、処理の効率化を図ることができる。
【００５６】
なお、上記では、ゲートＧ１を通過しようとしている対象が人物である場合を例示したが、人物に限らずいかなる物体であってもよい。例えば、荷物といった物体であってもよい。
【００５７】
＜実施形態３＞
次に、本発明の第３の実施形態を説明する。本実施形態における顔認証システム１０は、基本的には、上述した実施形態１と同様に、撮影画像の端領域に映っている人物が自ゲートＧ１に向かっている人物であるか否かを判定する。つまり、自ゲートＧ１の撮影画像の端領域に映っている人物が、他のゲートＧ２に対応する顔認証システム２０にて撮影された撮影画像の中央領域に映っているか否かに応じて、自ゲートＧ１に向かっている人物であるか判定する。但し、本実施形態では、かかる判定処理が以下のように異なる。以下、主に実施形態１とは異なる構成について詳述する。
【００５８】
まず、本実施形態における対象抽出部１１は、実施形態１と同様に、撮像装置Ｃ１から撮影画像を取得し、撮影画像内から処理対象となる人物を抽出する。このとき、対象抽出部１１は、抽出した人物が位置する撮影画像内における領域も特定する。そして、本実施形態における対象抽出部１１では、端領域に映っている人物の判定情報である特徴が基準値を超えているか否かを判定し、かかる判定結果に応じて、かかる人物が自ゲートＧ１に向かっている人物であるか否かの判定処理を行う。
【００５９】
一例として、対象抽出部１１は、まず、撮影画像の端領域に位置している人物の顔領域の抽出を行う。人物の顔領域の抽出は、例えば、動く人物の全体像に対する位置や色などから判定して行う。そして、対象抽出部１１は、判定情報である人物の特徴を、顔領域から検出する。本実施形態では、判定情報としての人物の特徴は、人物の両目の間の距離（目間距離）であることとする。
【００６０】
そして、本実施形態における対象判定部１２は、対象抽出部１１で検出した判定情報である目間距離が、基準値を超えているか否かを調べる。ここで、本実施形態では、上記基準値は、自ゲートＧ１の撮影画像の端領域に映っている人物が、自ゲートＧ１のレーンＲ１に位置するか否かを判別することができる値に設定されている。例えば、上述した図１０の状況では、自ゲートＧ１の撮影画像の端領域に映り、自ゲートＧ１に向かう人物Ｐ１２の目間距離は、隣接ゲートＧ２の人物Ｐ２０の目間距離よりも大きくなると考えられる。このことを考慮し、基準値は、自ゲートＧ１の撮影画像の端領域に映り、自ゲートＧ１に進む人物Ｐ１２の目間距離と、隣接ゲートＧ２の人物Ｐ２０の目間距離と、の間の値に設定される。
【００６１】
そして、対象判定部１２は、対象抽出部１１で検出したゲートＧ１の撮影画像の端領域に映る人物の目間距離が、基準値を超えている場合には、かかる人物は自ゲートＧ１に向かう人物であると判定し、照合処理の対象とする。つまり、人物の目間距離が基準値を超えている場合には、隣接ゲートＧ２の撮影画像との比較を行わず、そのまま自ゲートＧ１に向かう人物として照合処理を行う。
【００６２】
一方、対象判定部１２は、対象抽出部１１で検出した自ゲートＧ１の撮影画像の端領域に映る人物の目間距離が、基準値以下である場合には、かかる人物は隣接ゲートＧ２に向かう人物である可能性があるため、隣接ゲートＧ２の撮影画像との比較を行う。つまり、実施形態１で説明したように、隣接ゲートＧ２の撮影画像の中央領域にいずれかの人物が映っているか否かを調べる。隣接ゲートＧ２の撮影画像の中央領域に人物が映っている場合には、自ゲートＧ１の撮影画像の端領域に映る人物は隣接ゲートＧ２に向かう人物であると判定し、照合処理の対象から除外する。隣接ゲートＧ２の撮影画像の中央領域に人物が映っていない場合には、自ゲートＧ１の撮影画像の端領域に映る人物は、自ゲートＧ１に向かう人物であると判定し、照合処理の対象とする。
【００６３】
上記処理により、例えば、図１０及び図１１の例の場合には、まず自ゲートＧ１の撮影画像の端領域に人物Ｐ１２が映るが、かかる人物Ｐ１２が自ゲートＧ１の撮像装置Ｃ１に対する距離が近いため、人物Ｐ１２の大きさを表す判定情報である目間距離が基準値よりも大きくなる。このため、かかる人物Ｐ１２は自ゲートＧ１に向かう人物であると判定し、照合処理の対象とする。つまり、隣接ゲートＧ２に向かう人物Ｐ２０が存在する場合であっても、自ゲートＧ１の人物Ｐ１２を照合処理の対象とできる。
【００６４】
一方で、例えば、図８及び図９の例の場合には、まず自ゲートＧ１の撮影画像の端領域に人物Ｐ２０が映るが、かかる人物Ｐ２０が自ゲートＧ１の撮像装置Ｃ１に対する距離が遠いため、人物Ｐ２０の大きさを表す判定情報である目間距離が基準値以下となる。このため、かかる人物Ｐ２０が隣接ゲートＧ２の撮影画像の中央領域に映っているか否かを調べる。この場合、隣接ゲートＧ２の撮影画像の中央領域に人物が映っているため、自ゲートＧ１の撮影画像の端領域に映る人物は隣接ゲートＧ２に向かう人物であると判定し、照合処理の対象から除外する。
【００６５】
なお、上記では、自ゲートＧ１の撮影画像の端領域に映っている人物の判定情報が目間距離である場合を例示したが、判定情報としての人物の特徴は、人物の顔を構成する他の部位間の距離であってもよく、人物の他の部位の大きさを表す値であってもよい。但し、判定情報である人物の特徴は、必ずしも人物の部位の大きさを表す値に限定されない。
【００６６】
＜実施形態４＞
次に、本発明の第４の実施形態を、図１３乃至図１６を参照して説明する。図１３は、本実施形態における顔認証システムの構成を示すブロック図であり、図１４乃至図１６は、顔認証システムの処理動作を説明するための図である。
【００６７】
本実施形態における顔認証システム１０は、上述した実施形態１におけるものと同様の構成であるが、さらに、上記実施形態１，２で説明したように、隣接する各ゲートの撮影画像同士が重複し、同一人物が位置しているか否かを比較する領域である重複領域を設定する機能を有する。以下、主に実施形態１，２とは異なる構成について詳述する。
【００６８】
図１３に示すように、本実施形態における顔認証システム１０は、演算装置がプログラムを実行することで構築された領域設定部１５（領域設定手段）を備えている。領域設定部１５は、まず、自ゲートＧ１の撮像装置Ｃ１から撮影画像を取得すると共に、隣接するゲートＧ２の撮像装置Ｃ２からも撮影画像を取得する。このとき、領域設定部１５は、通信部１６を介して隣接ゲートＧ２の顔認証システム２０と通信して、ゲートＧ１で撮影画像が撮影された同一のタイミング（例えば、同一時刻）でゲートＧ２で撮影された撮影画像を取得する。
【００６９】
続いて、領域設定部１５は、取得したゲートＧ１の撮影画像とゲートＧ２の撮影画像とから人物を抽出する。人物の抽出は、例えば、動く物体を抽出したり、物体の全体形状や全体像に対する特徴的な形状部位の位置や色の位置などから判定して行う。そして、領域設定部１５は、両撮影画像に同一人物が映っているか否かを調べる。このとき、領域設定部１５は、各撮影画像に映る各人物の顔領域を特定し、当該顔領域から照合に必要な特徴量を検出する。そして、各人物の特徴量から、各人物が同一人物であるか否かを調べる。なお、人物の同一性を判別する処理は、いかなる処理であってもよい。
【００７０】
そして、領域設定部１５は、各撮影画像に同一人物が映っていると判定した場合には、当該各撮影画像内で同一人物がそれぞれ映っている箇所の周囲の領域を、当該各撮影画像内で相互に重複する重複領域として設定する。このとき、設定する重複領域は、同一人物が検出された箇所を撮影画像の上下端まで広げると共に、かかる領域をさらに撮影画像の水平方向に所定範囲だけ広げた領域とする。特に、自ゲートＧ１の撮影画像については、同一人物の抽出箇所が撮影画像の水平方向における一方の端付近に位置することが考えられるが、人物の抽出箇所に対して少しだけ水平方向に広げた範囲を重複領域（第一領域）とし、さらに、反対側の端付近にも同じ広さの重複領域（第一領域）を設定する。一方、隣接ゲートＧ２の撮影画像については、同一人物の抽出箇所が撮影画像の水平方向における中央付近に位置することが考えられるが、人物の抽出箇所に対して上記端領域の重複領域よりも広く水平方向に広げた範囲を重複領域（第二領域）として設定する。つまり、本実施形態では、上述した端領域よりも中央領域を広く設定する。但し、端領域や中央領域の広さの設定方法は、上述した方法に限定されない。
【００７１】
一例として、図１４に示す状況においては、まず、自ゲートＧ１の撮像装置Ｃ１から符号Ｃ１ａ線で挟まれた撮影領域の撮影画像が取得でき、隣接ゲートＧ２の撮像装置Ｃ２から符号Ｃ２ａ線で挟まれた撮影領域の撮影画像が取得できる。これら図１５（ａ），（ｂ）の両撮影画像から同一人物の抽出を行うことで、自ゲートＧ１の撮影画像の端領域と、隣接ゲートＧ２の撮影画像の中央領域とに、同一人物Ｐ２０を検出したとする。この場合、自ゲートＧ１の撮影画像については、図１６（ａ）に示すように、抽出した人物Ｐ２０の箇所を上下方向に広げた領域（斜線領域）をさらに少しだけ水平方向に広げた符号Ｃ１ａ，Ｃ１ｂで挟まれた領域を重複領域として設定する。また、水平方向における反対側の端領域にも符号Ｃ１ａ，Ｃ１ｂで挟まれた重複領域を設定する。一方で、隣接ゲートＧ２の撮影画像については、図１６（ｂ）に示すように、抽出した人物Ｐ２０の箇所を上下方向に広げた領域（斜線領域）をさらに広く水平方向に広げた符号Ｃ２ｂで挟まれた領域を重複領域として設定する。
【００７２】
以上のようにして、本実施形態では、ゲートＧ１に対応する顔認証システム１０の領域設定部１５が、自ゲートＧ１の撮影画像の端領域と、隣接ゲートＧ２の撮影画像の中央領域と、を重複領域として自動的に設定する。そして、顔認証システム１０が、上述した実施形態１，２で説明したように、設定した自ゲートＧ１の撮影画像の端領域と隣接ゲートＧ２の撮影画像の中央領域とから人物を抽出したり、両領域に同一人物が存在するか否かを判定する、といった処理を行う。
【００７３】
上述した実施形態４の顔認証システム１０によると、所定のゲートに対応する撮影画像内の人物と、他のゲートに対応する撮影画像内の人物と、に基づいて、各ゲートに対応する各撮影画像同士で重複する領域を自動的に設定することができる。その結果、相互に隣接するゲートＧ１，Ｇ２の撮像装置Ｃ１，Ｃ２間における重複領域を適切に設定することができ、照合システムの利用の容易化と、より高精度に誤認識を抑制することができる。
【００７４】
なお、上記では、ゲートＧ１，Ｇ２を通過しようとする人物の画像を用いて重複範囲を設定する場合を例示したが、人物に限らず撮影画像の映るいかなる物体を用いて重複範囲を設定してもよい。例えば、各撮影画像にそれぞれ映る物品や風景の同一性を判定して、判定結果に基づいて各撮影画像の重複範囲を設定してもよい。
【００７５】
＜実施形態５＞
次に、本発明の第５の実施形態を、図１７及び図１８を参照して説明する。図１７は、実施形態５における照合システムの構成を示すブロック図である。図１８は、実施形態５における情報処理装置の構成を示すブロック図である。なお、本実施形態では、実施形態１乃至４で説明した顔認証システムの構成の概略を示している。
【００７６】
図１７に示すように、本実施形態おける照合システム１００は、
並列に設置された各ゲートに対する各通過前側領域の撮影画像をそれぞれ取得する撮像手段１１０と、
ゲート毎に、各通過前側領域の撮影画像のそれぞれに対して、予め登録された対象と、撮影画像に含まれる対象と、の照合処理を行う照合手段１２０と、
を備える。
そして、上記照合手段１２０は、所定のゲートに対応する撮影画像内の対象と、他のゲートに対応する撮影画像内の対象と、に基づいて、照合処理を行う、
という構成をとる。
【００７７】
また、本実施形態では、図１７に示す照合システム１００から撮像手段１１０を取り除いてもよい。
つまり、本実施形態における情報処理装置２００は、
並列に設置された各ゲートに対する各通過前側領域の撮影画像のそれぞれに対して、予め登録された対象と、撮影画像に含まれる対象と、の照合処理を行う照合手段２１０を備える。
そして、上記照合手段２１０は、所定のゲートに対応する撮影画像内の対象と、他のゲートに対応する撮影画像内の対象と、に基づいて、照合処理を行う、
という構成をとる。
【００７８】
なお、上述した照合手段１２０，２１０は、演算装置がプログラムを実行することで構築されるものであってもよく、電子回路で構築されるものであってもよい。
【００７９】
そして、上記構成の照合システム１００あるいは情報処理装置２００によると、
並列に設置された各ゲートに対する各通過前側領域の撮影画像のそれぞれに対して、予め登録された対象と、撮影画像に含まれる対象と、の照合処理を行う照合方法が提供される。
そして、かかる照合方法において、さらに、所定のゲートに対応する撮影画像内の対象と、他のゲートに対応する撮影画像内の対象と、に基づいて、照合処理を行う、
という構成をとる。
【００８０】
上述した照合システム１００あるいは情報処理装置２００によると、所定のゲートに対応する撮影画像内の対象と、他のゲートに対応する撮影画像内の対象と、に基づいて、対象の照合処理を行う。このため、所定のゲートに対応する撮影画像に他のゲートを通過しようとする対象が映っている場合であっても、かかる対象が他のゲートを通過しようとする対象であると判断することができ、所定のゲートにおける照合処理から除外することができる。その結果、ゲートを通過しようとする対象の誤認識を抑制することができる。
【００８１】
＜付記＞
上記実施形態の一部又は全部は、以下の付記のようにも記載されうる。以下、本発明における照合システム、情報処理装置、プログラム、照合方法の構成の概略を説明する。但し、本発明は、以下の構成に限定されない。
【００８２】
（付記１）
並列に設置された各ゲートに対する各通過前側領域の撮影画像をそれぞれ取得する撮像手段と、
前記ゲート毎に、前記各通過前側領域の前記撮影画像のそれぞれに対して、予め登録された対象と、前記撮影画像に含まれる対象と、の照合処理を行う照合手段と、
を備え、
前記照合手段は、所定の前記ゲートに対応する前記撮影画像内の対象と、他の前記ゲートに対応する前記撮影画像内の対象と、に基づいて、前記照合処理を行う、
照合システム。
【００８３】
上記構成によると、照合システムは、所定のゲートに対応する撮影画像内の対象と、他のゲートに対応する撮影画像内の対象と、に基づいて、対象の照合処理を行う。このため、所定のゲートに対応する撮影画像に他のゲートを通過しようとする対象が映っている場合であっても、かかる対象が他のゲートを通過しようとする対象であると判断することができ、所定のゲートにおける照合処理から除外することができる。その結果、ゲートを通過しようとする対象の誤認識を抑制することができる。
【００８４】
（付記２）
付記１に記載の照合システムであって、
前記照合手段は、前記所定のゲートに対応する前記撮影画像の所定領域に位置する対象と、前記他のゲートに対応する前記撮影画像内の対象と、に基づいて、前記照合処理を行う、
照合システム。
【００８５】
（付記３）
付記２に記載の照合システムであって、
前記照合手段は、前記所定のゲートに対応する前記撮影画像の第一領域に位置する対象と、前記他のゲートに対応する前記撮影画像内の第二領域に位置する対象と、に基づいて、前記照合処理を行う、
照合システム。
【００８６】
（付記４）
付記３に記載の照合システムであって、
前記照合手段は、前記所定のゲートに対応する前記撮影画像の前記第一領域に位置する対象が、前記他のゲートに対応する前記撮影画像の前記第二領域にも位置している場合に、前記所定のゲートに対応する前記撮影画像の前記第一領域に位置する対象を、前記照合処理から除外する、
照合システム。
【００８７】
（付記５）
付記４に記載の照合システムであって、
前記照合手段は、前記所定のゲートに対応する前記撮影画像の前記第一領域である水平方向における端領域に位置する対象が、前記他のゲートに対応する前記撮影画像の前記第二領域である水平方向における中央領域に位置している場合に、前記所定のゲートに対応する前記撮影画像の水平方向における端領域に位置する対象を、前記照合処理から除外する、
照合システム。
【００８８】
（付記６）
付記４又は５に記載の照合システムであって、
前記照合手段は、前記所定のゲートに対応する前記撮影画像の前記第一領域に位置する対象が、当該対象が前記第一領域に位置するタイミングで前記他のゲートに対応する前記撮影画像の前記第二領域に位置している場合に、前記所定のゲートに対応する前記撮影画像の前記第一領域に位置する対象を、前記照合処理から除外する、
照合システム。
【００８９】
上記構成によると、照合システムは、所定のゲートに対応する撮影画像内の所定領域に映っている対象を、他のゲートに対応する撮影画像内に映っている対象と比較することで、重複して映る対象を照合処理から除外し、単独で映る対象のみの照合処理を行う。特に、所定のゲートに対応する撮影画像内の水平方向の端領域（第一領域）に位置する対象が、他のゲートに対応する撮影画像内の水平方向の中央領域（第二領域）に映っている場合には、その対象の照合処理は行わない。一方で、所定のゲートに対応する撮影画像内の水平方向の端領域（第一領域）に位置する対象が、他のゲートに対応する撮影画像内の水平方向の中央領域（第二領域）に映っていない場合には、その対象の照合処理を行う。その結果、所定のゲートに対応する撮影画像と他のゲートに対応する撮影画像とに対象が重複して映っている場合には、照合処理から除外することができ、ゲートを通過しようとする対象の誤認識を抑制することができる。
【００９０】
（付記７）
付記４又は５に記載の照合システムであって、
前記照合手段は、前記所定のゲートに対応する前記撮影画像の前記第一領域に位置する対象の特徴量と、前記他のゲートに対応する前記撮影画像の前記第二領域に位置する対象の特徴量と、に基づいて、前記所定のゲートに対応する前記撮影画像の前記第一領域に位置する対象が、前記他のゲートに対応する前記撮影画像の前記第二領域に位置している判断した場合に、前記所定のゲートに対応する前記撮影画像の前記第一領域に位置する対象を、前記照合処理から除外する、
照合システム。
【００９１】
（付記８）
付記７に記載の照合システムであって、
前記照合手段は、前記所定のゲートに対応する前記撮影画像の前記第一領域に位置する対象である人物の顔を構成する部位の特徴量と、前記他のゲートに対応する前記撮影画像の前記第二領域に位置する対象である人物の顔を構成する部位の特徴量と、に基づいて、前記所定のゲートに対応する前記撮影画像の前記第一領域に位置する対象が、前記他のゲートに対応する前記撮影画像の前記第二領域に位置していると判断した場合に、前記所定のゲートに対応する前記撮影画像の前記第一領域に位置する対象を、前記照合処理から除外する、
照合システム。
【００９２】
上記構成によると、照合システムは、各ゲートに対応する撮影画像内の対象の特徴量を抽出して比較することで、各ゲートの撮影画像に同一の対象が重複して映っているかをより確実に判別することができる。そして、所定のゲートと他のゲートとで重複して映っている対象を照合処理から除外することができ、ゲートを通過しようとする対象の誤認識を抑制することができる。さらに、対象の重複を判断するために抽出した対象の特徴量を照合処理に利用することができ、処理の効率化を図ることができる。
【００９３】
（付記９）
付記３乃至８のいずれかに記載の照合システムであって、
前記所定のゲートに対応する前記撮影画像内の対象と、当該対象が前記所定のゲートに対応する前記撮影画像内に位置するタイミングで取得された前記他のゲートに対応する前記撮影画像内の対象と、に基づいて、前記所定のゲートに対応する前記撮影画像の前記第一領域と前記他のゲートに対応する前記撮影画像の前記第二領域とを設定する領域設定手段を備えた、
照合システム。
【００９４】
（付記１０）
付記９に記載の照合システムであって、
前記領域設定手段は、前記所定のゲートに対応する前記撮影画像内の対象と、当該対象が前記所定のゲートに対応する前記撮影画像内に位置するタイミングで取得された前記他のゲートに対応する前記撮影画像内の対象と、が同一である場合に、前記所定のゲートに対応する前記撮影画像内の対象の位置と、前記他のゲートに対応する前記撮影画像内の対象の位置と、に基づいて、前記所定のゲートに対応する前記撮影画像内の対象の位置の周囲を前記第一領域として設定し、前記他のゲートに対応する前記撮影画像内の対象の位置の周囲を前記第二領域として設定する、
照合システム。
【００９５】
上記構成によると、照合システムは、所定のゲートに対応する撮影画像内の対象と、他のゲートに対応する撮影画像内の対象と、に基づいて、各ゲートに対応する各撮影画像同士で重複する領域を自動的に設定することができる。その結果、照合システムの利用の容易化を図ることができると共に、高精度に誤認識を抑制することができる。
【００９６】
（付記１１）
並列に設置された各ゲートに対する各通過前側領域の撮影画像のそれぞれに対して、予め登録された対象と、前記撮影画像に含まれる対象と、の照合処理を行う照合手段を備え、
前記照合手段は、所定の前記ゲートに対応する前記撮影画像内の対象と、他の前記ゲートに対応する前記撮影画像内の対象と、に基づいて、前記照合処理を行う、
情報処理装置。
【００９７】
（付記１２）
付記１１に記載の情報処理装置であって、
前記照合手段は、前記所定のゲートに対応する前記撮影画像の所定領域に位置する対象と、前記他のゲートに対応する前記撮影画像内の対象と、に基づいて、前記照合処理を行う、
情報処理装置。
【００９８】
（付記１３）
情報処理装置に、
並列に設置された各ゲートに対する各通過前側領域の撮影画像のそれぞれに対して、予め登録された対象と、前記撮影画像に含まれる対象と、の照合処理を行う照合手段を実現させるためのプログラムであり、
前記照合手段は、所定の前記ゲートに対応する前記撮影画像内の対象と、他の前記ゲートに対応する前記撮影画像内の対象と、に基づいて、前記照合処理を行う、
プログラム。
【００９９】
（付記１４）
付記１３に記載のプログラムであって、
前記照合手段は、前記所定のゲートに対応する前記撮影画像の所定領域に位置する対象と、前記他のゲートに対応する前記撮影画像内の対象と、に基づいて、前記照合処理を行う、
プログラム。
【０１００】
（付記１５）
並列に設置された各ゲートに対する各通過前側領域の撮影画像のそれぞれに対して、予め登録された対象と、前記撮影画像に含まれる対象と、の照合処理を行う方法であり、
所定の前記ゲートに対応する前記撮影画像内の対象と、他の前記ゲートに対応する前記撮影画像内の対象と、に基づいて、前記照合処理を行う、
照合方法。
【０１０１】
（付記１６）
付記１５に記載の照合方法であって、
前記所定のゲートに対応する前記撮影画像の所定領域に位置する対象と、前記他のゲートに対応する前記撮影画像内の対象と、に基づいて、前記照合処理を行う、
照合方法。
【０１０２】
（付記１７）
付記１６に記載の照合方法であって、
前記所定のゲートに対応する前記撮影画像の第一領域に位置する対象と、前記他のゲートに対応する前記撮影画像内の第二領域に位置する対象と、に基づいて、前記照合処理を行う、
照合方法。
【０１０３】
（付記１８）
付記１７に記載の照合方法であって、
前記所定のゲートに対応する前記撮影画像内の対象と、当該対象が前記所定のゲートに対応する前記撮影画像内に位置するタイミングで取得された前記他のゲートに対応する前記撮影画像内の対象と、に基づいて、前記所定のゲートに対応する前記撮影画像の前記第一領域と前記他のゲートに対応する前記撮影画像の前記第二領域とを設定し、
前記所定のゲートに対応する前記撮影画像の設定された前記第一領域に位置する対象と、前記他のゲートに対応する前記撮影画像内の設定された前記第二領域に位置する対象と、に基づいて、前記照合処理を行う、
照合方法。
【０１０４】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【０１０５】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【０１０６】
１０  顔認証システム
１１  対象抽出部
１２  対象判定部
１３  照合部
１４  ゲート制御部
１５  領域設定部
１６  通信部
１７  照合データ記憶部
２０  顔認証システム
１００  照合システム
１１０  撮像手段
１２０  照合手段
２００  情報処理装置
２１０  照合手段
Ｃ１，Ｃ２，Ｃ３  撮像装置
Ｄ１  表示装置
Ｇ１，Ｇ２，Ｇ３  ゲート
【図１】
2020201999.tif 000003
【図２】
2020201999.tif 000004
【図３】
2020201999.tif 000005
【図４】
2020201999.tif 000006
【図５】
2020201999.tif 000007
【図６】
2020201999.tif 000008
【図７】
2020201999.tif 000009
【図８】
2020201999.tif 000010
【図９】
2020201999.tif 000011
【図１０】
2020201999.tif 000012
【図１１】
2020201999.tif 000013
【図１２】
2020201999.tif 000014
【図１３】
2020201999.tif 000015
【図１４】
2020201999.tif 000016
【図１５】
2020201999.tif 000017
【図１６】
2020201999.tif 000018
【図１７】
2020201999.tif 000019
【図１８】
2020201999.tif 000020